(57)【特許請求の範囲】
【請求項１】
底面と該底面の周縁に立設する周壁とを有したトレイ本体と、前記トレイ本体の周縁に適合した形状の枠体からなる押え部材とからなり、
前記周壁の外周面に係合部を設け、前記押え部材に、該押え部材が前記トレイ本体に敷かれるシーツを押えた状態で前記係合部と係合して前記押え部材をトレイ本体に固定する固定部を設ける一方、
前記底面の周縁部に、線状の凸部を周縁に沿って延設するとともに、前記枠体からなる押え部材に、該押え部材が前記トレイ本体に固定された状態で前記線状の凸部の両側に配置される対を成す押圧部を全周に亙り設けたことを特徴とするペット用トレイ。
【請求項２】
前記押え部材に、該押え部材が前記トレイ本体に固定された状態で前記周壁の立設方向へ膨出する折り返し部を形成するとともに、前記周壁と該周壁に対向する押え部材の対向部との間に所定間隔の隙間を形成したことを特徴とする請求項１記載のペット用トレイ。
【請求項３】
前記固定部をバックルで構成したことを特徴とする請求項１又は２記載のペット用トレイ。
【発明の詳細な説明】
【０００１】
【産業上の利用分野】
本発明は、トレイ本体にシーツを脱着自在に装着できるペット用トレイに関する。
【０００２】
【従来の技術】
従来、ペット用トレイは、トレイの汚れを防止するシーツが脱着できるように構成されたもので、ペット用のトイレや食器受けなどに使用されている。トイレ用のトレイとしては、実公平５−６７７４号公報に開示されている犬用トイレが知られている。この犬用トイレは、図５および図６に示すように、犬用トイレを形成する底面方形状のトイレ本体５０と、該トイレ本体５０の底部に敷かれるシーツ５１と、前記トイレ本体５０に内嵌し、前記シーツ５１を押える押え枠５２により構成されている。
【０００３】
前記容器体５０の前面を形成する周壁には、前記押え枠５２を枢着する図示しないヒンジ凹部が形成されており、これに対向する後面側の周壁にはフック凹部５３が形成されている。一方、前記押え枠５２には、前記ヒンジ凹部に係合するヒンジ凸部と、前記フック凹部５３に噛合可能なフック凸部５４とが設けられており、押え枠５２には、押え枠５２がトイレ本体５０に装着された状態で、前記シーツ５１を押圧する押圧部５５が、押え枠５２の全周にわたり突設されている。
【０００４】
使用に際しては、トイレ本体５０内にシーツ５１を敷いた後、前記押え枠５２を前記ヒンジ凸部を軸として回転させ、前記押圧部５５をシーツ５１に押圧させる。そして、前記フック凸部５４を前記フック凹部５３に噛合させ、押え枠５２をトイレ本体５０内にてロック状態にする。
【０００５】
【発明が解決しようとする課題】
しかしながら、従来の犬用トイレにあっては、ペットがトイレ本体５０内で動き回り、本体５０の周壁にぶつかると、周壁に外方向へ向けた外力Ｃが加わる。すると、周壁は外方向へ膨らみ、フック凸部５４とフック凹部５３との噛合が簡単に外れてしまう。これにより、前記押圧部５５によるシーツ５１の押圧力は著しく低下してしまい、シーツ５１上を動き回るペットにより、シーツ５１が簡単にずれてしまう。
【０００６】
本発明は、このような従来の課題に鑑みてなされたものであり、トレイ内でペットが動き回ることがあっても、取り付けられたシーツがずれることの無いペット用トレイを提供することを目的とする。
【０００７】
【課題を解決するための手段】
前記課題を解決するために、本発明の請求項１のペット用トレイにあっては、底面と該底面の周縁に立設する周壁とを有したトレイ本体と、前記トレイ本体の周縁に適合した形状の枠体からなる押え部材とからなり、前記周壁の外周面に係合部を設け、前記押え部材に、該押え部材が前記トレイ本体に敷かれるシーツを押えた状態で前記係合部と係合して前記押え部材をトレイ本体に固定する固定部を設ける一方、前記底面の周縁部に、線状の凸部を周縁に沿って延設するとともに、前記枠体からなる押え部材に、該押え部材が前記トレイ本体に固定された状態で前記線状の凸部の両側に配置される対を成す押圧部を全周に亙り設けた。
【０００８】
また、請求項２のペット用トレイにおいては、前記押え部材に、該押え部材が前記トレイ本体に固定された状態で前記周壁の立設方向へ膨出する折り返し部を形成するとともに、前記周壁と該周壁に対向する押え部材の対向部との間に所定間隔の隙間を形成した。
【０００９】
さらに、請求項３のペット用トレイでは、前記固定部をバックルで構成した。
【００１１】
【作用】
前記構成において、トレイ本体に敷かれたシーツ上に押え部材をセットし、押え部材の固定部をトレイ本体の外周面に設けられた係合部に係合させる。すると、押え部材は、前記シーツを押えた状態で固定される。このとき、前記押え部材はトレイ本体の外周面にて固定されているので、トレイ本体と押え部材との係合をトレイ本体の内部側より解除することはできない。したがって、トレイ本体内で、ペットが動き回り、周壁にぶつかることがあっても、押え部材の係合が不用意に解除されることはない。
【００１２】
また、トレイ本体に敷かれるシーツは、底面の凸部と押え部材の押圧部とにより上下方向から交互に挟み込まれる。
【００１３】
さらに、押え部材には折り返し部が形成され、トレイ本体の周壁と該周壁の対向する押え部材の対向部との間には隙間が形成されているので、トレイ本体内を動き回るペットが押え部材の対向部に激しくぶつかり、対向部に外力が加わる場合には、前記折り返し部が弾性変形するとともに、対向部が前記隙間側に変位する。これにより、前記外力は折り返し部に吸収され、前記外力が周壁の外周面に設けられた係合部に伝達されることはない。加えて、トレイ本体に敷かれるシーツの縁部を、前記対向部と前記周壁との間に形成された隙間に収容することもできる。
【００１４】
また、前記固定部をバックルにより構成することで、押え部材の固定解除を容易に行うことができる。
【００１５】
【実施例】
以下、本発明の一実施例を図面に従って説明する。図１に示すように、ペット用トレイ１は、合成樹脂製であり、トレイ本体２と、該トレイ本体２に嵌合する押え部材３とにより構成されている。
【００１６】
前記トレイ本体２は、長方形状の底面４と該底面４の周縁に立設する周壁５とからなる上面開放上であり、前記底面４の周縁部には、周縁に沿って延在する凸部６が所定の間隔をおき複数箇所に設けられている。前記周壁５の相対向する部位には、長方形状の切り欠き７，７が設けられており、この切り欠き７，７を除く周壁５の端部には、該周壁５を包囲する包囲部８が、下方へ向かうに従って外方向へ広がるように連設されている。前記切り欠き７が形成された周壁５の外周面の部位には、図２にも示すように、周壁５の端部に連設し外方向へ伸びた後下方へ折れ曲がる断面Ｌ字状のＬ字リブ９と、該Ｌ字リブ９に突設した板状の突片１０とからなる係合部１１が形成されている。
【００１７】
一方、前記押え部材３は、前記トレイ本体２の周縁に適合した略ロ字状であり、前記包囲部８に外嵌する外嵌部１２と、該外嵌部１２の全内周面に連設する板状の押え板１３とからなる。前記外嵌部１２の前記係合部１１に対応した部位には、バックル取付部１４が形成されている（図１参照）。
【００１８】
該バックル取付部１４には、図３にも示すように、前記押え板１３に連設し、押え部材３がトレイ本体２に取り付けられた状態で、上方へ立設する前記周壁５に対向する対向部３ａと、この対向部３ａの端部より下方へ折り返す折り返し部１６とが形成されており、前記対向部３ａと前記周壁５との間には隙間Ｄが形成されている。また、折り返し部１６の端部には、外方へ伸びるフランジ１７が形成されており、該フランジ１７の端部には下方へ向けて伸びる支え足１８が形成され、その端部には前記突片１０と重なり合い接合する重なり接合部１９が形成されている。さらに、前記フランジ１７には、前記係合部１１の突片１０と係合し、前記押え部材３をトレイ本体２に固定する固定部としてのバックル２０が枢支されている。加えて、前記押え板１３には、押え部材３がトレイ本体２に取り付けられた状態で、前記凸部６を挟んで対をなす押圧部２１，２１が全周に亙り形成されいる。
【００１９】
以上の構成からなる本実施例において、寸法が底面４より大きなシーツ２２を利用してペット用トレイ１を使用する際には、図４に示すように、先ずトレイ本体２にシーツ２２を敷き、シーツ２２の縁部に、底面４の縁部に合わせて癖を付けた後、シーツ２２上に押え部材３をセットする。そして、押え部材３をシーツ２２側に押し付けながら、前記バックル２０，２０を前記係合部１１の突片１０に係合させる。すると、押え部材３は、前記シーツ２２を押えた状態でトレイ本体２に固定される。また、底面４より大きな寸法のシーツ２２の縁部は、図３にも示すように、前記隙間Ｄ内に収容され、トレイ本体２よりはみ出すことはないので、ペット用トレイ１の外観上の美観を損なうことはない。
【００２０】
また、押え部材３はトレイ本体２の周壁５より外側にて固定されているので、トレイ本体２と押え部材３との係合をトレイ本体２の内部側より解除することはできない。さらに、トレイ本体２内で、ペットが動き回り、周壁５に対向する押え部材３の対向部３ａに激しくぶつかり、対向部３ａに外力Ｃが加わることがあっても、該外力Ｃは折り返し部１６によって吸収される。したがって、外力Ｃが係合部１１が設けられた周壁５、すなわち、前記押え部材３とトレイ本体２との係合、に影響を与えることはない。これらにより、ペットがトレイ本体２内で動き回ることがあっても、押え部材３とトレイ本体２との係合が解除されることはなく、シーツ２２は押え部材３により安定的に押えられる。よって、ペット用トレイ１を使用中に、前記シーツ２２が不用意にずれることはない。
【００２１】
さらに、トレイ本体２に敷かれるシーツ２２は、底面４の凸部６，・・・と押え部材３の押圧部２１，２１とにより上下方向から交互に挟み込まれているので、シーツ２２のずれは、より効果的に防止される。したがって、ペットが、シーツ２２に爪を立てたりした場合であっても、シーツ２２がずれることのないペット用トレイ１となり得る。
【００２２】
なお、本実施例では、トレイ本体２と押え部材３とを別体に設け、押え部材３を、該押え部材３に設けられたバックル２０，２０により、トレイ本体２に固定させる構造としたが、押え部材３の一端側をトレイ本体２に枢支し、他端側にバックル２０などの固定部を設け、押え部材３をトレイ本体２に固定する構造であってもよい。また、押え部材３の押え板１３とバックル２０との間に、折り返し部１６を形成したが、該折り返し部１６を形成しない場合であっても、シーツ２２の不用意なずれを防止することができる。さらに、本実施例では押え部材３をバックル２０，２０によって固定する構造としたが、押え部材３に前記係合部１１に係合するフック、あるいは、突起部などの固定部を形成しても良い。
【００２３】
【発明の効果】
以上説明したように本発明にあっては、トレイ本体と押え部材との係合を、トレイ本体の内部側より解除することはできず、トレイ本体内でペットが動き回ることがあっても、前記シーツは押え部材により安定的に押えられる。よって、トレイ本体に敷かれたシーツが不用意にずれることはない。
【００２４】
また、トレイ本体に敷かれたシーツは、底部の凸部と押え部材の押圧部とにより上下方向から交互に挟み込まれているので、シーツのずれをより効果的に防止することができる。したがって、シーツ上でペットが動き回ったり、爪を立てたりした場合であっても、シーツがずれることはない。
【００２５】
さらに、トレイ本体内を動き回るペットが、押え部材の対向部に激しくぶつかることがあっても、この力は折り返し部にて吸収される。したがって、係合部が設けられた周壁の外周面、すなわち、トレイ本体と押え部材との係合に影響を与えることはない。加えて、シーツの縁部を、押え部材の対向部と周壁間の隙間に収容することもできるので、シーツの寸法がトレイ本体の底面より大きな場合であっても、このシーツをトレイ本体からはみ出すことなく取り付けることができる。よって、シーツ寸法の許容範囲が広いペット用トレイとなる。
【００２６】
また、押え部材の固定解除をバックルを操作することによりできるので、シーツの取り換え作業が容易なペット用トレイとなり得る。
【図面の簡単な説明】
【図１】本発明の一実施例を示す分解斜視図である。
【図２】図１のＡ−Ａ断面図である。
【図３】同実施例の押え部材がトレイ本体に取り付けられた状態を示す要部の断面図である。
【図４】同実施例の要部を示す断面図である。
【図５】従来の犬用トイレを示す斜視図である。
【図６】図５のＢ−Ｂ断面図である。
【符号の説明】
１    ペット用トレイ
２    トレイ本体
３    押え部材
３ａ    対向部
４    底面
５    周壁
６    凸部
１０    突片
１１    係合部
１６    折り返し部
２０    バックル（固定部）
２１    押圧部
２２    シーツ
Ｄ    隙間
【図１】
0003593148.tif 000002
【図２】
0003593148.tif 000003
【図３】
0003593148.tif 000004
【図４】
0003593148.tif 000005
【図５】
0003593148.tif 000006
【図６】
0003593148.tif 000007